(57)【要約】【課題】  本発明は、複数の端子をＰＣＢに形成した貫通孔に挿入することで端子付きコネクタをＰＣＢに確実に位置決めできるコストダウンが可能なＰＣＢへの端子付きコネクタの実装構造を提供すること。【解決手段】  本発明は、複数の端子３を立設したコネクタ基台２と、複数の端子３を挿入可能な複数の貫通孔５を有するＰＣＢ４とを備え、複数の貫通孔５は、挿入した端子３のＸ方向及びＹ方向の動きを規制可能な第１位置決め孔５ａと、端子５を挿入した状態でコネクタ基台２の回転方向の動きを規制可能な第２位置決め孔５ｂとが形成されている。【選択図】        図２
2006190551.tif 000002
【特許請求の範囲】
【請求項１】
複数の端子を立設したコネクタ基台と、前記複数の端子を挿入可能な複数の貫通孔を有するＰＣＢ（プリント配線基板）とを備え、前記複数の貫通孔は、挿入した前記端子のＸ方向及びＹ方向の動きを規制可能な第１位置決め孔と、前記端子を挿入した状態で前記コネクタ基台の回転方向の動きを規制可能な第２位置決め孔とを有することを特徴とするＰＣＢへの端子付きコネクタの実装構造。
【請求項２】
前記第１、第２位置決め孔を除く前記貫通孔は、挿入した前記端子が前記Ｘ方向及びＹ方向にガタ嵌合可能な寸法に形成されていることを特徴とする請求項１記載のＰＣＢへの端子付きコネクタの実装構造。
【請求項３】
前記第２位置決め孔は、前記第１規制孔から少なくとも複数の前記貫通孔を隔てた位置に形成したことを特徴とする請求項１、または２記載のＰＣＢへの端子付きコネクタの実装構造。
【請求項４】
前記複数の端子はＸ方向に沿って複数個形成されており、前記第２位置決め孔は、前記第１位置決め孔からＸ方向に少なくとも複数の前記貫通孔を隔てた遠い位置に形成されて、挿入した前記端子の前記Ｙ方向の動きと回転方向の動きを規制可能な寸法に形成されていることを特徴とする請求項３の何れかに記載のＰＣＢへの端子付きコネクタの実装構造。
【請求項５】
前記複数の貫通孔の前記Ｘ方向における両端側に位置する少なくとも２個を前記第２位置決め孔としたことを特徴とする請求項４記載のＰＣＢへの端子付きコネクタの実装構造。
【請求項６】
前記複数の端子はＹ方向に沿って複数段形成されており、前記第１位置決め孔からＹ方向に離間した位置の前記複数の貫通孔の少なくとも１個を前記第２位置決め孔とし、この第２位置決め孔は、挿入した前記端子の前記Ｙ方向の動きと回転方向の動きを規制可能な寸法に形成されていることを特徴とする請求項３記載のＰＣＢへの端子付きコネクタの実装構造。
【請求項７】
複数の端子を立設したコネクタ基台と、複数の端子を挿入可能な複数の貫通孔を有するＰＣＢ（プリント配線基板）とを備え、前記貫通孔は、挿入した前記端子のＸ方向の動きを規制可能な第１規制孔と、挿入した前記端子のＹ方向の動きを規制可能な第２規制孔とを有し、前記第１、第２規制孔を除く前記貫通孔は、挿入した前記端子が前記Ｘ方向及びＹ方向にガタ嵌合可能な寸法に形成されていることを特徴とするＰＣＢへの端子付きコネクタの実装構造。
【請求項８】
前記複数の端子はＸ方向に沿って複数個形成され、前記第１規制孔は、前記複数の貫通孔の内の少なくと１個によって形成されて、挿入した前記端子の前記Ｘ方向の動きを規制可能な寸法に形成され、前記第１規制孔から少なくとも複数の貫通孔を隔てた前記Ｘ方向に遠い位置で前記Ｘ方向における両端部側の前記複数の貫通孔の内の少なくとも２個が前記第２規制孔とされ、前記少なくとも２個の前記第２規制孔は、挿入した前記端子の前記Ｙ方向の動きを規制可能な寸法に形成されていることを特徴とする請求項７記載のＰＣＢへの端子付きコネクタの実装構造。
【請求項９】
前記端子は、先端部に面取り、あるいはアールが形成されていることを特徴とする請求項１乃至８の何れかに記載のＰＣＢへの端子付きコネクタの実装構造。
【請求項１０】
前記第１、第２位置決め孔、あるいは前記第１、第２規制孔は、前記端子が挿入される側のコーナ部に面取り、あるいはアールが形成されていることを特徴とする請求項１乃至９の何れかに記載のＰＣＢへの端子付きコネクタの実装構造。
【発明の詳細な説明】
【技術分野】
【０００１】
本発明は、ＰＣＢへの端子付きコネクタの実装構造に係わり、コネクタをＰＣＢに確実に位置決めして実装することが出来るＰＣＢへのコネクタ実装構造に関する。
【背景技術】
【０００２】
従来のＰＣＢへの端子付きコネクタの実装構造として、特許文献１に記載の構成が公知である。
前記特許文献１を図４、図５で説明すると、端子付きコネクタとして例えばリレー用ソケット２１で説明すると、リレー用ソケット２１の裏面側には、複数の端子２２が図示下方側に立設されている。
また、リレー用ソケット２１は、複数の端子２２以外に、本体ケース２１ａから下向きのスタンドオフ部２３が一体に突出形成され、スタンドオフ部２３から下方に、位置決め部２４が延設されている。
前記位置決め部２４は、割り溝２４ａを挟んで互いに対向する一対の突片部２４ｂ、２４ｂが分割形成され、これら一対の突片部２４ｂ、２４ｂの先端部には、鈎状の係止爪２４ｃ、２４ｃが形成されている。
【０００３】
また、ＰＣＢ（プリント配線基板）２５には、複数の端子２２を挿入可能な第１挿通孔２５ａと、一対の突片部２４ｂ、２４ｂを有する位置決め部２４をスナップ係合可能な第２挿通孔２５ｂとが貫通形成されている。
そして、複数の端子２２を第１挿通孔２５ａに挿通すると共に、位置決め部２４の鈎状の係止爪２４ｃ、２４ｃを第２挿通孔２５ｂに押し込んでスナップ係合すると、リレー用ソケット２１がＰＣＢ２５に位置決めされると共に、動きが規制されて仮止めされる。
前記ＰＣＢ２５に仮止めした状態の端子付きコネクタであるリレー用ソケット２１は、複数の端子２２をＰＣＢ２５に半田付けすることにより、リレー用ソケット２１をＰＣＢ２５に実装することができる。
【特許文献１】特開平８−２９８３８８号公報
【発明の開示】
【発明が解決しようとする課題】
【０００４】
しかし、前述したような従来のＰＣＢへの端子付きコネクタの実装構造は、端子付きコネクタであるリレー用ソケット２１をＰＣＢ２５に位置決めするために、複数の端子２２以外に鈎状の係止爪２４ｃ、２４ｃを有する位置決め部２４を形成すると共に、ＰＣＢ２５には、この位置決め部２４がスナップ嵌合可能な第２挿通孔２５ｂを形成していたので、本体ケース２１ａ及びＰＣＢ２５の製造が複雑になり、コストアップになる問題があった。
本発明は前述のような課題を解決して、複数の端子をＰＣＢに形成した貫通孔に挿入することで端子付きコネクタをＰＣＢに確実に位置決めできるコストダウンが可能なＰＣＢへの端子付きコネクタの実装構造を提供することを目的とする。
【課題を解決するための手段】
【０００５】
前記課題を解決するための第１の手段として本発明のＰＣＢへの端子付きコネクタの実装構造は、複数の端子を立設したコネクタ基台と、前記複数の端子を挿入可能な複数の貫通孔を有するＰＣＢ（プリント配線基板）とを備え、前記複数の貫通孔は、挿入した前記端子のＸ方向及びＹ方向の動きを規制可能な第１位置決め孔と、前記端子を挿入した状態で前記コネクタ基台の回転方向の動きを規制可能な第２位置決め孔とを有することを特徴とする。
また、前記課題を解決するための第２の手段として、前記第１、第２位置決め孔を除く前記貫通孔は、挿入した前記端子が前記Ｘ方向及びＹ方向にガタ嵌合可能な寸法に形成されていることを特徴とする。
【０００６】
また、前記課題を解決するための第３の手段として、前記第２位置決め孔は、前記第１規制孔から少なくとも複数の前記貫通孔を隔てた位置に形成したことを特徴とする。
また、前記課題を解決するための第４の手段として、前記複数の端子はＸ方向に沿って複数個形成されており、前記第２位置決め孔は、前記第１位置決め孔からＸ方向に少なくとも複数の前記貫通孔を隔てた遠い位置に形成されて、挿入した前記端子の前記Ｙ方向の動きと回転方向の動きを規制可能な寸法に形成されていることを特徴とする。
【０００７】
また、前記課題を解決するための第５の手段として、前記複数の貫通孔の前記Ｘ方向における両端側に位置する少なくとも２個を前記第２位置決め孔としたことを特徴とする。
また、前記課題を解決するための第６の手段として、前記複数の端子はＹ方向に沿って複数段形成されており、前記第１位置決め孔からＹ方向に離間した位置の前記複数の貫通孔の少なくとも１個を前記第２位置決め孔とし、この第２位置決め孔は、挿入した前記端子の前記Ｙ方向の動きと回転方向の動きを規制可能な寸法に形成されていることを特徴とする。
【０００８】
また、前記課題を解決するための第７の手段として、複数の端子を立設したコネクタ基台と、複数の端子を挿入可能な複数の貫通孔を有するＰＣＢ（プリント配線基板）とを備え、前記貫通孔は、挿入した前記端子のＸ方向の動きを規制可能な第１規制孔と、挿入した前記端子のＹ方向の動きを規制可能な第２規制孔とを有し、前記第１、第２規制孔を除く前記貫通孔は、挿入した前記端子が前記Ｘ方向及びＹ方向にガタ嵌合可能な寸法に形成されていることを特徴とする。
また、前記課題を解決するための第８の手段として、前記複数の端子はＸ方向に沿って複数個形成され、前記第１規制孔は、前記複数の貫通孔の内の少なくと１個によって形成されて、挿入した前記端子の前記Ｘ方向の動きを規制可能な寸法に形成され、前記第１規制孔から少なくとも複数の貫通孔を隔てた前記Ｘ方向に遠い位置で前記Ｘ方向における両端部側の前記複数の貫通孔の内の少なくとも２個が前記第２規制孔とされ、前記少なくとも２個の前記第２規制孔は、挿入した前記端子の前記Ｙ方向の動きを規制可能な寸法に形成されていることを特徴とする。
【０００９】
また、前記課題を解決するための第９の手段として、前記端子は、先端部に面取り、あるいはアールが形成されていることを特徴とする。
また、前記課題を解決するための第１０の手段として、前記第１、第２位置決め孔、あるいは前記第１、第２規制孔は、前記端子が挿入される側のコーナ部に面取り、あるいはアールが形成されていることを特徴とする。
【発明の効果】
【００１０】
本発明のＰＣＢへの端子付きコネクタの実装構造の複数の貫通孔は、挿入した端子のＸ方向及びＹ方向の動きを規制可能な第１位置決め孔と、端子を挿入した状態でコネクタ基台の回転方向の動きを規制可能な第２位置決め孔とを有するので、複数の端子をＰＣＢの貫通孔に挿入することで、端子付きコネクタのＸ方向及びＹ方向の動きを規制して位置決めすることができる。そのために、従来例のような端子とは別部材の位置決め部材が不要となり、コストダウンが可能である。
【００１１】
また、第１、第２位置決め孔を除く貫通孔は、挿入した端子がＸ方向及びＹ方向にガタ嵌合可能な寸法に形成されているので、第１、第２位置決め孔に端子を圧入するときの押圧力を小さくでき、組立作業性が良い。
【００１２】
また、第２位置決め孔は、第１規制孔から少なくとも複数の貫通孔を隔てた位置に形成したので、位置決め孔と、これに挿入される端子とにわずかなガタ付きがあったとしても、位置決めに際しての、そのガタ付きの影響を最小限に押さえることが可能であり、ＰＣＢの貫通孔に端子を挿入して位置決めした端子付きコネクタの位置決めを確実に行うことができる。
【００１３】
また、複数の端子はＸ方向に沿って複数個形成されており、第２位置決め孔は、第１位置決め孔からＸ方向に少なくとも複数の貫通孔を隔てた遠い位置に形成されて、挿入した端子のＹ方向の動きと回転方向の動きを規制可能な寸法に形成されているので、位置決め孔と、これに挿入される端子とにわずかなガタ付きがあったとしても、位置決めに際しての、そのガタ付きの影響を最小限に押さえることが可能であり、端子付きコネクタの位置決めを確実に行うことができる。
【００１４】
また、複数の貫通孔のＸ方向における両端側に位置する少なくとも２個を第２位置決め孔としたので、更に確実に端子付きコネクタの回転方向の動きを規制することができる。
【００１５】
また、複数の端子はＹ方向に沿って複数段形成されており、第１位置決め孔からＹ方向に離間した位置の複数の貫通孔の少なくとも１個を第２位置決め孔とし、この第２位置決め孔は、挿入した端子のＹ方向の動きと回転方向の動きを規制可能な寸法に形成されているので、第１位置決め孔で、端子付きコネクタのＸ方向とＹ方向の動きを規制すると共に、第２位置決め孔で端子付きコネクタの回転方向の動きを規制することができ、また、同時に第１位置決め孔と、第２位置決め孔を異なる段の離間した位置に配置でき、端子付きコネクタの位置決めを確実に行うことができる。
【００１６】
また、貫通孔は、挿入した端子のＸ方向の動きを規制可能な第１規制孔と、挿入した端子のＹ方向の動きを規制可能な第２規制孔とを有し、第１、第２規制孔を除く貫通孔は、挿入した端子がＸ方向及びＹ方向にガタ嵌合可能な寸法に形成されているので、端子付きコネクタのＸ方向とＹ方向の位置決めをを確実に行うことがっできる。
【００１７】
また、複数の端子はＸ方向に沿って複数個形成され、第１規制孔は、複数の貫通孔の内の少なくと１個によって形成されて、挿入した端子のＸ方向の動きを規制可能な寸法に形成され、第１規制孔から少なくとも複数の貫通孔を隔てたＸ方向に遠い位置でＸ方向における両端部側の複数の貫通孔の内の少なくとも２個が第２規制孔とされ、少なくとも２個の第２規制孔は、挿入した端子のＹ方向の動きを規制可能な寸法に形成されているので、互いに離間した第２規制孔によって、Ｙ方向の動きを精度良く規制することができ、その状態で第１規制孔によってＸ方向の動きを規制でき、更に確実に端子付きコネクタのＸ方向とＹ方向及び回転方向の位置決めを確実に行うことができる。
【００１８】
また、端子は、先端部に面取り、あるいはアールが形成されているので、第１、第２位置決め孔及び第１、第２規制孔への挿入が容易である。
【００１９】
また、第１、第２位置決め孔及び第１、第２規制孔は、端子が挿入される側のコーナ部に面取り、あるいはアールが形成されているので、端子の挿入するときの作業が容易である。
【発明を実施するための最良の形態】
【００２０】
本発明のＰＣＢへの端子付きコネクタの実装構造は、例えば電子機器と配線回路とを電気的に接続する端子付きコネクタをＰＣＢ（プリント配線基板）に半田付け等で実装するときに用いるもので、その一実施の形態を図面に基づいて説明する。図１は本発明に関する端子付きコネクタとＰＣＢとの分解斜視図であり、図２は、本発明の第１の実施の形態を説明する平面図であり、図３は本発明の第２の実施の形態を説明する平面図である。
【００２１】
まず、本発明のＰＣＢへの端子付きコネクタの実装構造の第１の実施の形態は、図１に示すように、端子付きコネクタ１が配設されている。前記端子付きコネクタ１は、ポリブチレンテレフタレート等の絶縁性の熱可塑性樹脂材料等からなる板状のコネクタ基台２の矢印Ｘ方向とＹ方向（複数列、複数段）に整列されて、インサート成型等により複数の端子３が、上面側から下面側に貫通して立設されている。
前記端子３は、コネクタ基台２の上面側に位置するＰＣＢ挿入部３ａが角柱状に形成され、先端部が面取り、あるいはアールが形成されている。
【００２２】
また、ＰＣＢ（プリント配線基板）４は、フェノール樹脂積層板等の熱硬化性の樹脂材料等からなり、複数の端子３を挿入可能な貫通孔５が、複数個Ｘ方向に形成され、また、Ｙ方向に複数段、本実施の形態においては２段形成されている。尚、一般的なコネクタにおいては、Ｘ方向の貫通孔５の個数は、Ｙ方向の貫通孔５の個数に比べて多く、本実施の形態の場合は、Ｘ方向に６個、Ｙ方向に２段設けられており、Ｙ方向の両端の貫通孔５間の距離に比べて、Ｘ方向の両端の貫通孔５間の距離が長くなっている。
前記貫通孔５は、例えば図２に示すように、略長円状に形成されているが、Ｘ方向である図示上下方向の略中央部の少なくとも１個が、端子３の角柱状のＰＣＢ挿入部３ａを圧入嵌合可能な円形状の第１位置決め孔５ａとなっている。
即ち、第１位置決め孔５ａは、挿入した端子３のＰＣＢ挿入部３ａの矢印Ｘ方向及びＹ方向の動きを規制可能な寸法に形成されている。
但し、第１位置決め孔５ａのみでは、第１位置決め孔５ａを中心とする回転方向の位置決めはできない。
【００２３】
尚、第１位置決め孔５ａは、コネクタ基台２のＸ方向及びＹ方向の動きを規制するものなので、複数設けた場合は、挿入性が低下するので１個形成するのが良い。
また、本実施の形態のおいては、貫通孔５周囲の表面は平坦面で形成されるが、貫通孔５の少なくとも第１、第２位置決め孔５ａ、５ｂは、端子が挿入される側のコーナ部に、面取り、あるいはアールが形成されるように、貫通孔５のプレスによる抜き方向を設定しても良い。
その場合には、より第１、第２位置決め孔５ａ、５ｂに圧入する端子３の寸法誤差が合った場合でも、容易に挿入可能として、挿入に伴う押圧力を小さくでき、挿入作業性を向上できる。
【００２４】
また、ＰＣＢ４には、貫通孔孔５に端子３を挿入した状態で、コネクタ基台２の回転方向の動きを規制可能な第２位置決め孔５ｂが形成されている。
前記第２位置決め孔５ｂは、図２に示すように、矢印Ｘ方向に沿って複数の貫通孔５を隔てた遠い位置に形成され、具体的には、両者間の距離が長くなるように、矢印Ｘ方向における一方の端部と他方の端部に形成され、即ち、両端側の２箇所に形成されている。
前記第２位置決め孔５ｂ、５ｂは、図２に示すように、Ｙ方向の寸法が、ＰＣＢ挿入部３ａの厚さ寸法と同等以下に形成され、Ｘ方向の寸法がＰＣＢ挿入部３ａの幅寸法より大きな、Ｘ方向に略長円状に形成されている。
尚、第２位置決め孔５ｂは、Ｘ方向におけるいずれか一方の端部に１個形成したものでも良い。その場合、一方の第２位置決め孔５ｂに変えて、第１位置決め孔を形成しても良い。また、第２位置決め孔５ｂは、Ｘ方向の両端、即ち、最も外側に形成したが、端部の近傍付近であれば良く、両者間の距離が長くなる位置にあれば良い。
また、本実施の形態のおける第２位置決め孔５ｂは、一番離間した列と段に設けているが、同じ段の離間した列に設けても良い。
また、第１、第２位置決め孔５ａ、５ｂを除く貫通孔５は、挿入した端子３がＸ方向及びＹ方向にガタ嵌合可能な寸法に形成されている。
【００２５】
このような第１の実施の形態のＰＣＢへの端子付きコネクタの実装構造は、複数の端子３のＰＣＢ挿入部３ａをＰＣＢ４の複数の貫通孔５に挿入すると、コネクタ基台２は、第１位置決め孔５ａによって、Ｘ方向及びＹ方向の動きが規制されると共に、２個の第２位置決め孔５ｂによって、回転方向の動きが規制され、これによって端子付きコネクタ１が位置決めされる。
そして、複数の端子３をＰＣＢ４に、例えば半田付けことにより、端子付きコネクタ１がＰＣＢ４に位置決めした状態で実装することができる。
【００２６】
また、第１の実施の形態のＰＣＢへの端子付きコネクタの実装構造は、第１、第２位置決め孔５ａ、５ｂに端子３のＰＣＢ挿入部３ａが圧入嵌合となっているので、端子付きコネクタ２をＰＣＢ４に仮止めすることができると共に、確実に位置決めすることができる。
そのために、端子３以外に従来例のような特別な位置決め部を必要とせず、製造が簡単でコストダウンが可能となる。
【００２７】
また、第１の実施の形態の変形例として、図示を省略するが、貫通孔５をＹ方向に多数段設けた場合、第２位置決め孔を第１位置決め孔５ａからＹ方向の遠い位置に形成し、挿入した端子３のＸ方向の動きを規制することにより、端子付きコネクタ１の回転方向の動きを規制するようにしたものでも良い。
前記第１位置決め孔５ａからＹ方向の遠い位置に形成した第２位置決め孔（図示せず）は、Ｘ方向の寸法が、ＰＣＢ挿入部３ａの幅寸法と同等以下に形成され、Ｙ方向の寸法がＰＣＢ挿入部３ａの厚さ寸法より大きな、Ｙ方向に長い略長円状に形成されている。
要は、第１位置決め孔５ａによって、Ｘ、Ｙ方向の位置が決まるので、第２位置決め孔は、回転方向の位置を決めれば良く、そのためには、第１、第２位置決め孔を結ぶ線と直交する方向の第２位置決め孔の幅寸法をＰＣＢ挿入部３ａの幅寸法と同等以上に形成すれば良い。
【００２８】
また、本発明の第２の実施の形態を図３に基づいて説明すると、ＰＣＢ１４に形成した複数の貫通孔１５は、挿入した端子３のＸ方向の動きを規制可能な第１規制孔１５ａが形成されている。
前記第１規制孔１５ａは、複数の貫通孔１５の内の少なくと１個が、挿入した端子３のＸ方向の動きを規制可能な寸法に形成されている。即ち、第１記載孔１５ａは、図３に示すように、Ｘ方向の寸法が、ＰＣＢ挿入部３ａの幅さ寸法と同等以下に形成され、Ｙ方向の寸法がＰＣＢ挿入部３ａの厚さ寸法より大きな、Ｙ方向に長い略長円状に形成されている。
【００２９】
また、図３に示すＰＣＢ１４の貫通孔１５には、挿入したコネクタ端子３のＹ方向の動きを規制可能な第２規制孔１５ｂが形成されている。
前記第２規制孔１５ｂは、複数の貫通孔１５を隔てた遠い位置に形成され、具体的には、両者間の距離が長くなるようにＸ方向の一方の端部と他方の端部の両端側の２箇所に形成され、Ｙ方向の寸法が、ＰＣＢ挿入部３ａの厚さ寸法と同等以下に形成され、Ｘ方向の寸法がＰＣＢ挿入部３ａの幅寸法より大きな、Ｘ方向に略長円状に形成されている。
【００３０】
このような第２の実施の形態のＰＣＢへの端子付きコネクタの実装構造は、複数の端子３のＰＣＢ挿入部３ａをＰＣＢ１４の複数の貫通孔１５に挿入すると、コネクタ基台２は、２個の第２規制孔１５ｂによって、Ｙ方向の動きが規制され、その状態で１個の第１規制孔１５ａによって、Ｘ方向の動きが規制される。と共に、２個の第２規制孔１５ｂによって、Ｙ方向の動きが規制される。
このことにより、端子付きコネクタ１は、Ｘ方向及びＹ方向の動きが規制されて位置決めされる。
そして、複数の端子３をＰＣＢ１４に、例えば半田付けことにより、端子付きコネクタ１がＰＣＢ１４に位置決めした状態で実装することができる。
【００３１】
また、第２の実施の形態のＰＣＢへの端子付きコネクタの実装構造は、第１、第２規制孔１５ａ、１５ｂに端子３のＰＣＢ挿入部３ａが圧入嵌合となっているので、端子付きコネクタ１をＰＣＢ１４に仮止めすることができると共に、確実に位置決めすることができる。
【図面の簡単な説明】
【００３２】
【図１】本発明に関する端子付きコネクタとＰＣＢとの分解斜視図である。
【図２】本発明の第１の実施の形態を説明する平面図である。
【図３】本発明の第２の実施の形態を説明する平面図である。
【図４】従来の端子付きコネクタの斜視図である。
【図５】従来のＰＣＢへの端子付きコネクタの要部断面図ある。
【符号の説明】
【００３３】
１  端子付きコネクタ
２  コネクタ基台
３  端子
３ａ  ＰＣＢ挿入部  
４  第１の実施の形態のＰＣＢ
５  貫通孔
５ａ  第１位置決め孔
５ｂ  第２位置決め孔
１４  第２の実施の形態のＰＣＢ
【図１】
2006190551.tif 000003
【図２】
2006190551.tif 000004
【図３】
2006190551.tif 000005
【図４】
2006190551.tif 000006
【図５】
2006190551.tif 000007